(57)【要約】【課題】荷物のみを搬送する運転モードへの切り替えが可能なエレベータにおいて、利便性の高い操作を可能にするエレベータ制御装置、エレベータシステム、およびエレベータ制御方法を提供する。【解決手段】実施形態によれば、エレベータの運転を、通常運転モードまたは荷物搬送用の特殊運転モードで制御するエレベータ制御装置は、運転モード切替部と運転制御部とを備える。運転モード切替部は、エレベータの乗りかご内に設置された運転モード切替釦が操作されたことを検知すると、通常運転モードと特殊運転モードとを切り替える。運転制御部は、通常運転モードで運転を制御しているときには、乗りかご内に設置された階床ごとの行き先登録釦の操作情報に基づいて行き先階を特定し、特殊運転モードで運転を制御しているときには、乗りかご内に設置された階床ごとの特定階設定釦の操作情報に基づいて行き先階を特定して前記エレベータの運転を制御する。【選択図】図１
2014076889.tif 000002
【特許請求の範囲】
【請求項１】
エレベータの運転を、通常運転モードまたは荷物搬送用の特殊運転モードで制御するエレベータ制御装置において、
前記エレベータの乗りかご内に設置された運転モード切替釦が操作されたことを検知すると、前記通常運転モードと前記特殊運転モードとを切り替える運転モード切替部と、
前記通常運転モードで運転を制御しているときには、前記乗りかご内に設置された階床ごとの行き先登録釦の操作情報に基づいて行き先階を特定し、前記特殊運転モードで運転を制御しているときには、前記乗りかご内に設置された階床ごとの特定階設定釦の操作情報に基づいて行き先階を特定して前記エレベータの運転を制御する運転制御部と
を備えることを特徴とするエレベータ制御装置。
【請求項２】
前記運転制御部は、前記特殊運転モードで運転しているときには、各階床のエレベータ乗場にそれぞれ設置された戸閉釦および戸開釦の操作情報に基づいて前記乗りかごの戸開閉動作を制御する
ことを特徴とする請求項１に記載のエレベータ制御装置。
【請求項３】
前記運転制御部は、前記特殊運転モードで運転しているときには、前記乗りかごが着床している階床のエレベータ乗場に設置されている戸開釦および戸閉釦の操作情報のみに基づいて前記乗りかごの戸開閉動作を制御する
ことを特徴とする請求項１または２に記載のエレベータ制御装置。
【請求項４】
前記運転制御部は、前記特殊運転モードで運転しているときには、操作された複数の前記特定階設定釦に対応する階床の中から行き先階を特定する
ことを特徴とする請求項１〜３いずれか１項に記載のエレベータ制御装置。
【請求項５】
前記運転制御部は、前記特殊運転モードで運転しているときには、操作された複数の前記特定階設定釦に対応する階床を巡回して乗りかごが着床するように行き先階を特定する
ことを特徴とする請求項１〜３いずれか１項に記載のエレベータ制御装置。
【請求項６】
前記運転制御部は、前記特殊運転モードで運転しているときに、特定された行き先階に対応する階床の行き先登録釦を点灯させる
ことを特徴とする請求項１〜５いずれか１項に記載のエレベータ制御装置。
【請求項７】
地震が発生したときに建物の揺れを検知する地震感知装置に接続され、
前記運転制御部は、前記地震感知装置で揺れを検知したときに、前記通常運転モードで運転を制御している場合には前記乗りかごを最寄階に停止させるように制御し、前記特殊運転モードで運転を制御している場合には前記特定階設定釦の操作情報に基づいて行き先階を特定して行う前記エレベータの運転制御を継続する
ことを特徴とする請求項１〜６いずれか１項に記載のエレベータ制御装置。
【請求項８】
エレベータの乗りかご内に設置された運転モード切替釦、前記乗りかご内に設置された階床ごとの行き先登録釦、および前記乗りかご内に設置された階床ごとの特定階設定釦と、エレベータの運転を通常運転モードまたは荷物搬送用の特殊運転モードで制御するエレベータ制御装置とが接続されたエレベータシステムにおいて、
前記エレベータ制御装置は、
前記運転モード切替釦が操作されたことを検知すると、前記通常運転モードと前記特殊運転モードとを切り替える運転モード切替部と、
前記通常運転モードで運転を制御しているときには、前記行き先登録釦の操作情報に基づいて行き先階を特定し、前記特殊運転モードで運転を制御しているときには、前記特定階設定釦の操作情報に基づいて行き先階を特定して前記エレベータの運転を制御する運転制御部と
を備えることを特徴とするエレベータシステム。
【請求項９】
エレベータの運転を、通常運転モードまたは荷物搬送用の特殊運転モードで制御するエレベータ制御装置が、
前記エレベータの乗りかご内に設置された運転モード切替釦が操作されたことを検知すると、前記通常運転モードと前記特殊運転モードとを切り替え、
前記通常運転モードで運転を制御しているときには、前記乗りかご内に設置された階床ごとの行き先登録釦の操作情報に基づいて行き先階を特定し、前記特殊運転モードで運転を制御しているときには、前記乗りかご内に設置された階床ごとの特定階設定釦の操作情報に基づいて行き先階を特定して前記エレベータの運転を制御する
ことを特徴とするエレベータ制御方法。
【発明の詳細な説明】
【技術分野】
【０００１】
本発明の実施形態は、エレベータ制御装置、エレベータシステム、およびエレベータ制御方法に関する。
【背景技術】
【０００２】
通常、人が乗車することを前提としたエレベータには、エレベータ乗場に設置された乗場呼び登録用釦と、乗りかご内に設置された行き先登録用釦とが備えられている。利用者は、エレベータ乗場の乗場呼び登録用釦を操作することにより乗りかごを呼び寄せ、着床した乗りかごに乗車して行き先階登録用釦を操作することにより乗りかごを昇降させ、所望の階床に移動する。
【０００３】
またこれらの登録用釦に加え、人が乗車せず荷物のみを搬送するときのために、荷物運搬運転モードへの切り替え釦を乗りかご内に設置したエレベータがある。このエレベータでは、当該荷物運搬運転モード切替釦が操作されることにより、乗りかごの戸開閉が乗場の釦で操作可能な状態に切り替えられ、利用者は乗りかごへの荷物の搬入や乗場におけるエレベータの昇降操作を容易に行うことができる。
【先行技術文献】
【特許文献】
【０００４】
【特許文献１】特開平１１−１６５９６０号公報
【発明の概要】
【発明が解決しようとする課題】
【０００５】
しかし上述したような荷物運搬運転モード切替釦が設置されたエレベータでは、乗りかごの戸閉を中断して再戸開させる操作や、所定階床のみに乗りかごを着床させる操作など、さらに利便性の高い操作を可能とすることが求められていた。
【０００６】
本発明は上記事情に鑑みてなされたものであり、荷物のみを搬送する運転モードへの切り替えが可能なエレベータにおいて、利便性の高い操作を可能にするエレベータ制御装置、エレベータシステム、およびエレベータ制御方法を提供することを目的とする。
【課題を解決するための手段】
【０００７】
上記目的を達成するための実施形態によれば、エレベータの運転を、通常運転モードまたは荷物搬送用の特殊運転モードで制御するエレベータ制御装置は、運転モード切替部と運転制御部とを備える。運転モード切替部は、エレベータの乗りかご内に設置された運転モード切替釦が操作されたことを検知すると、通常運転モードと特殊運転モードとを切り替える。運転制御部は、通常運転モードで運転を制御しているときには、乗りかご内に設置された階床ごとの行き先登録釦の操作情報に基づいて行き先階を特定し、特殊運転モードで運転を制御しているときには、乗りかご内に設置された階床ごとの特定階設定釦の操作情報に基づいて行き先階を特定して前記エレベータの運転を制御する。
【図面の簡単な説明】
【０００８】
【図１】一実施形態によるエレベータシステムの構成を示す全体図。
【図２】一実施形態によるエレベータ制御装置の動作を示すフローチャート。
【発明を実施するための形態】
【０００９】
本発明の一実施形態として、乗りかご内に人が乗車して移動するための通常運転モードと、人が乗らずに荷物のみを搬送させるための特殊運転モードとを、利用者が切り替えて操作することが可能なエレベータシステムについて説明する。
【００１０】
〈一実施形態によるエレベータシステムの構成〉
本発明の一実施形態によるエレベータシステムの構成について、図１を参照して説明する。
【００１１】
本実施形態によるエレベータシステム１は、１階〜４階の階床を有する建物に設置されており、各階のエレベータ乗場に設置された通常運転用乗場操作盤１０−１〜１０−４と、特殊運転用乗場操作盤２０−１〜２０−４と、昇降路内を移動する乗りかご３０と、地震感知装置４０と、これらのエレベータ乗場の各種釦や乗りかご３０内の各装置（各種釦、かご扉等）、および地震感知装置４０に接続されたエレベータ制御装置５０とを有する。当該建物内に複数のエレベータが設置され群管理制御されている場合には、特殊運転用乗場操作盤２０−１〜２０−４はエレベータごとに設置される。
【００１２】
１階の通常運転用乗場操作盤１０−１には上方向乗場呼び釦１１−１が設置され、２階の通常運転用乗場操作盤１０−２には上方向乗場呼び釦１１−２および下方向乗場呼び釦１２−２が設置され、３階の通常運転用乗場操作盤１０−３には上方向乗場呼び釦１１−３および下方向乗場呼び釦１２−３が設置され、４階の通常運転用乗場操作盤１０−４には下方向乗場呼び釦１２−４が設置されている。これらの釦は、通常運転モード時に操作される。
【００１３】
また１階〜４階の特殊運転用乗場操作盤２０−１〜２０−４にはそれぞれ、出発釦（戸閉釦）２１−１〜２１−４、および戸開釦２２−１〜２２−４が設置されている。これらの釦は、特殊運転モード時に操作される。
【００１４】
乗りかご３０内には、通常運転用かご操作盤３１と、特殊運転用かご操作盤３２とが設置されている。
【００１５】
通常運転用かご操作盤３１には、通常運転モード時に行き先階を登録するために操作される行き先登録釦群３１１と、開閉釦群３１２と、当該エレベータの運転状況を表示するかご表示装置３１３とが設置されている。
【００１６】
特殊運転用かご操作盤３２には、通常運転モードと特殊運転モードとを切り替えるための運転モード切替釦３２１と、特殊運転モード時に行き先階を登録するために操作される特定階設定釦群３２２とが設置されている。
【００１７】
地震感知装置４０は、地震が発生したときに、当該建物における揺れを感知する。
【００１８】
エレベータ制御装置５０は、乗場釦操作情報取得部５１と、かご内釦操作情報取得部５２と、運転モード切替部５３と、運転制御部５４とを有する。
【００１９】
乗場釦操作情報取得部５１は、エレベータ乗場に設置された各種釦（上方向乗場呼び釦１１−１〜１１−３、下方向乗場呼び釦１２−２〜１２−４、出発釦２１−１〜２１−４、および戸開釦２２−１〜２２−４）が操作されたときに、当該操作情報を取得する。
【００２０】
かご内釦操作情報取得部５２は、乗りかご３０内に設置された各種釦（行き先登録釦群３１１、開閉釦群３１２、運転モード切替釦３２１、および特定階設定釦群３２２）が操作されたときに、当該操作情報を取得する。
【００２１】
運転モード切替部５３は、かご内釦操作情報取得部５２で運転モード切替釦３２１が操作された操作情報が取得されると、通常運転モードと特殊運転モードとを切り替える。
【００２２】
運転制御部５４は、通常運転モードで運転を制御しているときには、上方向乗場呼び釦１１−１〜１１−３、下方向乗場呼び釦１２−２〜１２−４の操作情報に基づいて乗場呼び登録を行い、行き先登録釦群３１１の操作情報に基づいて行き先階を特定して行き先登録を行い、開閉釦群３１２の操作情報に基づいて乗りかご３０の戸開閉動作を制御する。また運転制御部５４は、特殊運転モードで運転を制御しているときには、出発釦２１−１〜２１−４、戸開釦２２−１〜２２−４の操作情報に基づいて乗りかご３０の戸開閉動作を制御し、特定階設定釦群３２２の操作情報に基づいて行き先階を特定してエレベータの運転を制御する。
【００２３】
〈一実施形態によるエレベータシステムの動作〉
次に、本実施形態によるエレベータシステム１の動作について参照して説明する。本実施形態においては、特殊運転として、建物の入り口階である１階と荷物の搬送先である４階との間で、乗りかご３０に人が乗車せず荷物のみを載せて複数回昇降させる場合について説明する。１階のエレベータ乗場には荷物を乗りかごに搬入する利用者Ａが待機し、４階のエレベータ乗場には乗りかごから荷物を搬出する利用者Ｂが待機しているものとする。
【００２４】
エレベータ制御装置５０の運転制御部５４において通常運転モードでエレベータの運転が制御されているときに、利用者Ａにより１階のエレベータ乗場で上方向乗場呼び釦１１−１が操作されると、当該操作情報がエレベータ制御装置５０の乗場釦操作情報取得部５１において取得される。
【００２５】
乗場釦操作情報取得部５１で当該操作情報が検出されると、１階の乗場での乗場呼びが登録され、乗りかご３０が１階に移動する。乗りかご３０が１階に着床し戸開すると、乗場の利用者Ａが乗りかご３０内に乗り込み、運転モード切替釦３２１を操作する。
【００２６】
運転モード切替釦３２１が操作されたときのエレベータ制御装置５０の動作について、図２のフローチャートを参照して説明する。
【００２７】
運転モード切替釦３２１が操作されると、当該操作情報がエレベータ制御装置５０の運転モード切替部５３において取得される。
【００２８】
運転モード切替部５３で当該操作情報が検出されると（Ｓ１）、運転モードが通常運転モードから特殊運転モードに切り替えられ、この時点で既に登録されている行き先階、乗場呼びがキャンセルされるとともに、運転制御部５４における以降の行き先階登録および乗場呼び登録が禁止される。また運転制御部５４により、乗りかご３０が戸開放された状態で保持される（Ｓ２）。
【００２９】
次に、特定階設定釦群３２２が操作されたか否かが、かご内釦操作情報取得部５２で監視される（Ｓ３）。特定群設定釦群３２２のいずれかが操作されるまでは乗りかご３０の戸開放が保持されているため、利用者Ａはその間に荷物を乗りかご３０に搬入する。
【００３０】
利用者Ａは荷物を搬入した後、特定階設定釦群３２２の中の、乗りかご３０の行き先階である「４階」釦を操作する。操作された「４階」釦の操作情報は、かご内釦操作情報取得部５２において取得される。
【００３１】
かご内釦操作情報取得部５２で当該操作が検出されると（Ｓ３の「YES」）、利用者Ａにより２つ目の特定階設定釦の操作があるか否かが監視される（Ｓ４）。ここでは、乗りかご３０が行き先階「４階」に着床した後に、再度入り口階である「１階」に戻るように運転させるために、利用者Ａが「１階」釦を操作したものとする。２つ目に操作された「１階」釦の操作情報は、かご内釦操作情報取得部５２において取得される。
【００３２】
かご内釦操作情報取得部５２で２つ目の階床に対する特定階設定釦の操作が検出されると「２階床以上の釦の操作が検出された」と判定され（Ｓ４の「YES」）、これらの検出された階床「４階」および「１階」の情報が運転制御部５４に保持される。
【００３３】
運転制御部５４では、現在乗りかご３０が１階に着床しているため、まず、保持された階床の情報のうち「４階」が行き先階として自動登録される。このとき、行き先登録釦群３１１の中の該当する「４階」の釦が点灯される（Ｓ５）。また、運転制御部５４に保持された以外の階床は自動登録されない。
【００３４】
利用者Ａは、特定階設定釦の操作の後、乗りかご３０から降車し、エレベータ乗場の出発釦２１−１を操作する。操作された出発釦２１−１の操作情報は、乗場釦操作情報取得部５１において取得される。乗場釦操作情報取得部５１では、現在乗りかご３０が着床している１階のエレベータ乗場の出発釦２１−１の操作情報のみが検出され、他階の出発釦２１−２〜２１−４の操作情報は検出されない。
【００３５】
乗場釦操作情報取得部５１で当該出発釦２１−１の操作が検出されると（Ｓ６の「YES」）、運転制御部５４により、乗りかご３０の戸開保持状態が解除され、戸閉動作が開始される（Ｓ７）。
【００３６】
出発釦２１−１が操作された後、乗りかご３０が行き先階に向けて走行を開始するまでの戸閉動作中に、乗りかご３０が着床している１階の戸開釦２２−１が操作されたか否かがが、乗場釦操作情報取得部５１で監視される（Ｓ８）。
【００３７】
戸閉動作中に、乗場釦操作情報取得部５１で戸開釦２２−１の操作が検出されると（Ｓ８の「YES」）、運転制御部５４による戸閉動作が中断されて戸開（リオープン）され（Ｓ９）、戸開状態が保持されステップＳ６に戻る。乗場釦操作情報取得部５１では、現在乗りかごが着床している１階のエレベータ乗場の戸開釦２２−１の操作情報のみが検出され、他階の戸開釦２２−２〜２２−４の操作情報は検出されない。
【００３８】
戸開釦２２−１の操作が検出されずに戸閉したときには（Ｓ８の「NO」）、そのまま行き先階として登録された「４階」へ走行が開始される（Ｓ１０）。
【００３９】
走行が開始された後、乗りかご３０が行き先階「４階」に着床するまでの間、地震感知装置４０において揺れが感知されたか否かが監視される（Ｓ１１）。揺れが感知されなければ、そのまま行き先階として登録された「４階」へ走行が続行される。
【００４０】
この間に地震が発生し地震感知装置４０において揺れが感知されると（Ｓ１１の「YES」）、当該感知情報がエレベータ制御装置５０の運転制御部５４で取得される。
【００４１】
運転制御部５４では、乗りかご３０の走行中に地震による感知情報が検出され管制運転が開始されても（Ｓ１１の「YES」）、通常運転モード時のように最寄階床への乗りかご３０の緊急停止は行わず、そのまま行き先階「４階」への走行が続行される（Ｓ１２）。
【００４２】
乗りかご３０が行き先階に着床するまでの間に地震が発生しなかったとき（Ｓ１１の「NO」）、または地震が発生したが緊急停止が行われなかったときは、乗りかご３０が行き先階「４階」に着床し、戸開する。そして、運転制御部５４に登録された行き先階「４階」の情報は消去され、新たな行き先階として、ステップＳ４において保持されたもう１つの階床の情報「１階」に自動更新登録される。このとき、行き先登録釦群３１１中の「４階」の釦は消灯され、新たに「１階」の釦が点灯される。また、乗りかご３０の扉は戸開放された状態で保持される（Ｓ１３）。
【００４３】
ここで乗りかご３０の戸開放が保持されている間に、４階の利用者Ｂは乗りかご３０の中から荷物を搬出する。
【００４４】
乗りかご３０が戸開されている間に、利用者Ｂが荷物の移動が完了したと判断して運転モード切替釦３２１を操作すると、当該操作情報がエレベータ制御装置５０の運転モード切替部５３において取得される。
【００４５】
運転モード切替部５３で当該操作情報が検出されると（Ｓ１４の「YES」）、乗りかご３０が戸閉し、運転モードが特殊運転モードから通常運転モードに復帰される（Ｓ１５）。
【００４６】
また、利用者Ｂが荷物を搬出した後も特殊運転モードを継続させ、入り口階である「１階」に乗りかご３０が戻るように運転させたいときには、運転モード切替釦３２１を操作せず（Ｓ１４の「NO」、ステップＳ６に戻る。）乗りかご３０から降車してエレベータ乗場の出発釦２１−４を操作する。出発釦２１−４の操作情報は、乗場釦操作情報取得部５１において取得される。
【００４７】
乗場釦操作情報取得部５１で出発釦２１−４の操作が検出されると（Ｓ６の「YES」）、運転制御部５４により乗りかご３０の戸開保持状態が解除され、戸閉動作が開始される（Ｓ７）。ここで戸開釦２２−４の操作が検出されると（Ｓ８の「YES」）、上述したように、乗りかご３０がリオープンされ、また、走行開始後（Ｓ１０）、地震による揺れが感知されると（Ｓ１１の「YES」）、最寄階に停止せず行き先階として登録された「１階」への走行が続行される（Ｓ１２）。
【００４８】
乗りかご３０が行き先階「１階」に着床され、戸開されると、運転制御部５４に登録された行き先階「１階」の情報は再度「４階」に更新され、戸開放された状態が保持される（Ｓ１３）。
【００４９】
ここで利用者Ａにより荷物の移動が完了したと判断されて運転モード切替釦３２１が操作されれば（Ｓ１４の「YES」）運転モードが特殊運転モードから通常運転モードに復帰される（Ｓ１５）。また、さらに特殊運転モードを継続して荷物を移動させたいときには運転モード切替釦３２１は操作されず（Ｓ１４の「NO」、ステップＳ６に戻る。）、利用者Ａが新たな荷物を搬入後、乗りかご３０から降車してエレベータ乗場の出発釦２１−１を操作することにより、上述した動作と同様に乗りかご３０が移動される。
【００５０】
このように特殊運転モードでの運転中は「４階」と「１階」とを乗りかご３０が巡回して移動し、４階または１階にて戸開中に利用者により運転モード切替釦３２１が操作されると、特殊運転モードが終了し、通常運転モードに復帰する。
【００５１】
また、乗りかごのかご表示装置３１３には、乗りかご３０の移動や停止の状況を報知するための表示情報が表示される。
【００５２】
以上の本実施形態によれば、荷物のみを搬送する運転モードへの切り替えが可能なエレベータにおいて、乗りかご内に特殊運転モード切替釦、特定階設定釦群が設置され、各乗場に特殊運転モード時操作用の出発釦、戸開釦が設置されることにより、利用者が利便性の高い操作を行うことができる。
【００５３】
具体的には、特殊運転モードにて運転中には出発釦が操作されるまでは戸開放が保持されるため荷物の搬入、搬出を安心して行うことができ、また、搬入、搬出後は利用者が乗りかご内に居なくてもエレベータ乗場にて戸閉操作を行うことができる。また、エレベータ乗場での操作により、特殊運転モードでの運転中にも戸閉動作中に再度戸開させることができる。
【００５４】
また本実施形態において特殊運転モードにて運転中には、乗りかごが停止し荷物の搬入、搬出を行っている階床以外の階からの出発釦、戸開釦の操作が制限されるため、利用者の安全性を確保することができ、効率の良い運転をすることができる。
【００５５】
また本実施形態において特殊運転モードにて複数階を巡回して運転中する際には、２階床以上の特定階設定釦の操作が検出された後に、行き先階が設定され乗りかごの移動が可能となるため、不用意な戸開閉を防止し利用者の安全性を確保することができる。
【００５６】
また本実施形態において、特殊運転モードにて運転中には乗りかご内に人がいないため、地震が発生した場合にも最寄階に緊急停止をする必要がなく、登録された行き先階への走行を継続することにより効率の良い運転をすることができる。このように登録された行き先階以外で停止しないように運転を継続することにより、積荷が現金や貴金属類の貴重品である場合の防犯効果を向上させることができる。
【００５７】
また上述した本実施形態においては、特殊運転モードにて運転中には特定階設定釦の操作で設定された階床の中から行き先階が自動登録される場合について説明したが、特定階設定釦群で操作され予め設定された複数の階床の中から、利用者が行き先登録釦で選択した階床を行き先階として登録するようにしてもよい。この場合、特定階設定釦群で予め設定された階床以外は行き先階としての登録が制限されるため、安全性を確保し、効率の良い運転をすることができる。
【００５８】
また上述した本実施形態においては、特殊運転モード時に２つの特定階設定釦が操作された場合について説明したが、３つ以上の釦が操作されたときに、これらの釦に対応する階床を巡回して乗りかごが着床するように行き先階を自動登録してもよい。
【００５９】
また本実施形態において、各階床のエレベータ乗場に各出発釦に対応する応答ランプと、各戸開釦に対応する応答ランプとを設置し、釦操作が適性に受け付けられたときに該当する応答ランプを点灯させることにより、これらの釦操作に対する応答確認を利用者に報知するようにしてもよい。
【００６０】
また、各階床のエレベータ乗場に特定階設定釦に対応する応答ランプを設置し、特定階設定釦が操作されたときに対応する階床のエレベータ乗場の応答ランプを点灯されることにより、乗場にいる人や荷物搬送の利用者に当該階床が特殊運転中の対応階であることを報知するようにしてもよい。
【００６１】
また上記実施形態において、乗りかご内の運転モード切替釦や特定階設定釦群を、通常運転モードにて運転中に一般利用者により誤操作されないように、特殊運転用かご操作盤を覆うように扉を設置しておいてもよい。
【００６２】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００６３】
１…エレベータシステム
１０−１〜１０−４…通常運転用乗場操作盤
１１−１〜１１−３…上方向かご呼び釦
１２−２〜１２−４…下方向かご呼び釦
２０−１〜２０−４…特殊運転用乗場操作盤
２１−１〜２１−４…出発釦
２２−１〜２２−４…戸開釦
３１…通常運転用かご操作盤
３２…特殊運転用かご操作盤
４０…地震感知装置
５０…エレベータ制御装置
５１…乗場釦操作情報取得部
５２…かご内釦操作情報取得部
５３…運転モード切替部
５４…運転制御部
３１１…行き先登録釦群
３１２…開閉釦群
３１３…かご表示装置
３２１…運転モード切替釦
３２２…特定階設定釦群
【図１】
2014076889.tif 000003
【図２】
2014076889.tif 000004
【手続補正書】
【提出日】平成25年12月11日(2013.12.11)
【手続補正１】
【補正対象書類名】特許請求の範囲
【補正対象項目名】全文
【補正方法】変更
【補正の内容】
【特許請求の範囲】
【請求項１】
エレベータの運転を、通常運転モードまたは荷物搬送用の特殊運転モードで制御するエレベータ制御装置において、
前記エレベータの乗りかご内に設置された運転モード切替釦が操作されたことを検知すると、前記通常運転モードと前記特殊運転モードとを切り替える運転モード切替部と、
前記通常運転モードで運転を制御しているときには、前記乗りかご内に設置された階床ごとの行き先登録釦の操作情報に基づいて行き先階を特定し、
前記特殊運転モードで運転を制御しているときには、前記乗りかご内に設置された階床ごとの特定階設定釦で操作された複数の階床の中のいずれかを行き先階として自動登録し、自動登録された行き先階に着床すると前記特定階設定釦で操作された複数の階床の中の他の階床を新たな行き先階として自動登録して前記乗りかごの扉を戸開放状態で保持し、着床している乗場に設置された戸閉釦が操作されると前記乗りかごの扉を戸閉し、前記新たな行き先階に走行させることで、前記通常運転モードに切り替えられるまでの間、前記特定階設定釦で操作された複数の階床を、前記乗りかごが巡回して着床するように複数回昇降させる運転制御部と
を備えることを特徴とするエレベータ制御装置。
【請求項２】
前記運転制御部は、前記特殊運転モードで運転しているときに、特定された行き先階に対応する階床の行き先登録釦を点灯させる
ことを特徴とする請求項１に記載のエレベータ制御装置。
【請求項３】
地震が発生したときに建物の揺れを検知する地震感知装置に接続され、
前記運転制御部は、前記地震感知装置で揺れを検知したときに、前記通常運転モードで運転を制御している場合には前記乗りかごを最寄階に停止させるように制御し、前記特殊運転モードで運転を制御している場合には前記特定階設定釦の操作情報に基づいて行き先階を特定して行う前記エレベータの運転制御を継続する
ことを特徴とする請求項１または２に記載のエレベータ制御装置。
【請求項４】
エレベータの乗りかご内に設置された運転モード切替釦、前記乗りかご内に設置された階床ごとの行き先登録釦、および前記乗りかご内に設置された階床ごとの特定階設定釦と、エレベータの運転を通常運転モードまたは荷物搬送用の特殊運転モードで制御するエレベータ制御装置とが接続されたエレベータシステムにおいて、
前記エレベータ制御装置は、
前記運転モード切替釦が操作されたことを検知すると、前記通常運転モードと前記特殊運転モードとを切り替える運転モード切替部と、
前記通常運転モードで運転を制御しているときには、前記行き先登録釦の操作情報に基づいて行き先階を特定し、
前記特殊運転モードで運転を制御しているときには、前記乗りかご内に設置された階床ごとの特定階設定釦で操作された複数の階床の中のいずれかを行き先階として自動登録し、自動登録された行き先階に着床すると前記特定階設定釦で操作された複数の階床の中の他の階床を新たな行き先階として自動登録して前記乗りかごの扉を戸開放状態で保持し、着床している乗場に設置された戸閉釦が操作されると前記乗りかごの扉を戸閉し、前記新たな行き先階に走行させることで、前記通常運転モードに切り替えられるまでの間、前記特定階設定釦で操作された複数の階床を、前記乗りかごが巡回して着床するように複数回昇降させる運転制御部と
を備えることを特徴とするエレベータシステム。
【請求項５】
エレベータの運転を、通常運転モードまたは荷物搬送用の特殊運転モードで制御するエレベータ制御装置が、
前記エレベータの乗りかご内に設置された運転モード切替釦が操作されたことを検知すると、前記通常運転モードと前記特殊運転モードとを切り替え、
前記通常運転モードで運転を制御しているときには、前記乗りかご内に設置された階床ごとの行き先登録釦の操作情報に基づいて行き先階を特定し、
前記特殊運転モードで運転を制御しているときには、前記乗りかご内に設置された階床ごとの特定階設定釦で操作された複数の階床の中のいずれかを行き先階として自動登録し、自動登録された行き先階に着床すると前記特定階設定釦で操作された複数の階床の中の他の階床を新たな行き先階として自動登録して前記乗りかごの扉を戸開放状態で保持し、着床している乗場に設置された戸閉釦が操作されると前記乗りかごの扉を戸閉し、前記新たな行き先階に走行させることで、前記通常運転モードに切り替えられるまでの間、前記特定階設定釦で操作された複数の階床を、前記乗りかごが巡回して着床するように複数回昇降させる
ことを特徴とするエレベータ制御方法。
【手続補正２】
【補正対象書類名】明細書
【補正対象項目名】０００７
【補正方法】変更
【補正の内容】
【０００７】
上記目的を達成するための実施形態によれば、エレベータの運転を、通常運転モードまたは荷物搬送用の特殊運転モードで制御するエレベータ制御装置は、運転モード切替部と運転制御部とを備える。運転モード切替部は、エレベータの乗りかご内に設置された運転モード切替釦が操作されたことを検知すると、通常運転モードと特殊運転モードとを切り替える。運転制御部は、通常運転モードで運転を制御しているときには、乗りかご内に設置された階床ごとの行き先登録釦の操作情報に基づいて行き先階を特定し、特殊運転モードで運転を制御しているときには、前記乗りかご内に設置された階床ごとの特定階設定釦で操作された複数の階床の中のいずれかを行き先階として自動登録し、自動登録された行き先階に着床すると前記特定階設定釦で操作された複数の階床の中の他の階床を新たな行き先階として自動登録して前記乗りかごの扉を戸開放状態で保持し、着床している乗場に設置された戸閉釦が操作されると前記乗りかごの扉を戸閉し、前記新たな行き先階に走行させることで、前記通常運転モードに切り替えられるまでの間、前記特定階設定釦で操作された複数の階床を、前記乗りかごが巡回して着床するように複数回昇降させる。